(57)【要約】【課題】テレビジョン受像機において、ファームウェア全体をシリーズ毎に共通化する。【解決手段】複数種類の液晶表示パネル４２の各々のパネル駆動用電源電圧値とレジスタ設定値群とを格納したレコードから構成されるレジスタ設定値テーブル２２ｂをＳＰＩフラッシュメモリ２２に記憶しておく。装置の初回起動時に、検出したパネル駆動用電源電圧の値に対応するレジスタ設定値群５６を、レジスタ設定値テーブル２２ｂから読み込んで、このレジスタ設定値群５６をメインデバイス２１内の一群のレジスタに設定するようにした。これにより、液晶表示パネルの種類毎に（各インチの液晶表示パネル毎に）、異なるレジスタ設定値群を含むファームウェアを記憶しておく必要がなくなる。【選択図】図１
2012003155.tif 000002
【特許請求の範囲】
【請求項１】
光源となるバックライトと、
アンテナにより受信したテレビジョン放送信号から、映像信号と音声信号を抽出するチューナと、
前記チューナによって抽出した映像信号に基づく駆動電圧を生成して、生成した駆動電圧を出力する駆動手段と、
前記駆動手段から出力された駆動電圧に基づいて画像を表示する表示パネルと、
前記表示パネルの種類に応じたレジスタ設定値が設定される一群のレジスタを有し、これらのレジスタに設定されたレジスタ設定値群に基づき、前記表示パネルの種類に応じて、装置全体の制御を行う制御手段と、
前記一群のレジスタに設定するレジスタ設定値群を含む前記制御手段の制御に必要なデータと前記制御手段の制御に必要なプログラムとを含むファームウェアを記憶する記憶手段と、
前記駆動手段を含む装置各部に電源を供給する電源供給手段とを備えたテレビジョン受像機において、
前記電源供給手段から前記駆動手段に供給されるパネル駆動用電源電圧の値を検出する電源電圧検出手段をさらに備え、
前記記憶手段は、複数種類の表示パネルの各々の、前記パネル駆動用電源電圧の値と前記レジスタ設定値群とを格納したレコードから構成されるレジスタ設定値テーブルをさらに記憶し、
前記制御手段は、装置の初回起動時に、前記電源電圧検出手段により検出したパネル駆動用電源電圧の値に対応する前記レジスタ設定値群を、前記レジスタ設定値テーブルから読み込んで、このレジスタ設定値群を前記一群のレジスタに設定してから、装置全体を起動又は再起動することを特徴とするテレビジョン受像機。
【請求項２】
前記表示パネルに表示された画像の色温度又は輝度を測定する測定手段と接続され、
前記レジスタ設定値テーブルの各レコードは、前記複数種類の表示パネルの各々に対応した画像の色温度又は輝度を含み、
前記制御手段は、
装置の初回起動時に、前記電源電圧検出手段により検出したパネル駆動用電源電圧の値に対応する前記レジスタ設定値群を、前記レジスタ設定値テーブルから読み込んだときに、前記レジスタ設定値テーブルに格納されたレコードの中に、前記電源電圧検出手段により検出したパネル駆動用電源電圧の値に対応する前記レジスタ設定値群を有するレコードが２つ以上ある場合は、
前記測定手段により測定された色温度又は輝度に対応する前記レジスタ設定値群を、前記レジスタ設定値テーブルから読み込んで、このレジスタ設定値群を前記一群のレジスタに設定してから、装置全体を再起動することを特徴とする請求項１に記載のテレビジョン受像機。
【請求項３】
前記表示パネルは、液晶表示パネルであることを特徴とする請求項１又は請求項２に記載のテレビジョン受像機。
【発明の詳細な説明】
【技術分野】
【０００１】
本発明は、液晶表示パネル等の表示パネルを備えたテレビジョン受像機に関する。
【背景技術】
【０００２】
従来、同じメーカの同じシリーズ（モデル）のテレビジョン受像機であっても、表示パネルのインチ数が異なると、表示パネルの輝度・色といった画質設定や入出力端子数が異なる。このため、ファームウェアに含まれるデータのうち、上記の画質設定や入出力端子数に関連するパラメタから構成されるレジスタ設定値群（装置全体を制御するメインデバイス内のレジスタにセットするためのパラメタの値群）（のデータ）を、テレビジョン受像機のシリーズ（モデル）毎に共通化することができなかった。従って、ファームウェアのうちプログラムの部分は、表示パネルのインチ数に係らず、テレビジョン受像機のシリーズ（モデル）毎に同じであっても、上記のレジスタ設定値群を含むファームウェア全体をシリーズ毎に共通化することができないという問題があった。また、上記のように、ファームウェア全体をシリーズ毎に共通化することができないために、ファームウェアを記憶するメモリと上記のメインデバイスとを含む実装したディジタルプリント回路板（ディジタルＰＣＢ(printed circuit board)）をシリーズ毎に共通化することができないという問題もあった。
【０００３】
ところで、この種の装置の分野において、液晶表示装置の表示パネルにおけるセット毎の表示特性のバラツキの影響を除去することを目的として、コントラスト調整値を補正するための補正パラメタを記憶する補正パラメタレジスタと、ＭＰＵにより指示されるコントラスト調整値に対して、補正パラメタにより特定される補正値を加算し、補正コントラスト調整値を演算する演算回路と、補正コントラスト調整値に基づき得られる駆動電圧で表示パネルを駆動する駆動回路とを含む表示ドライバが開示されている（特許文献１参照）。また、多数のレジスタを内蔵する表示装置において、当該レジスタへの初期値（レジスタ値）の設定や変更を簡易かつ短時間で行うことができると共に、マイクロプロセッサ等の処理負担を軽減することが可能な駆動制御方法が開示されている（特許文献２参照）。さらにまた、プラグアンドプレイモードによる表示装置の起動時に、レジスタ値の適正値からの変動を速やかに検出してレジスタ値を初期化し直すことにより、表示装置の高画質に対する信頼性を向上させる表示装置の駆動装置が開示されている（特許文献３参照）。しかしながら、これらの発明では、上記の問題を解決することはできない。
【先行技術文献】
【特許文献】
【０００４】
【特許文献１】特開２００３−２６３１３３号公報
【特許文献２】特開２００５−７０２３２号公報
【特許文献３】特開２００８−１９７６４８号公報
【発明の概要】
【発明が解決しようとする課題】
【０００５】
本発明は、上記課題を解決するものであり、レジスタ設定値群を含むファームウェア全体をシリーズ毎に共通化することが可能なテレビジョン受像機を提供することを目的とする。
【課題を解決するための手段】
【０００６】
上記課題を解決するために、請求項１の発明は、光源となるバックライトと、アンテナにより受信したテレビジョン放送信号から、映像信号と音声信号を抽出するチューナと、前記チューナによって抽出した映像信号に基づく駆動電圧を生成して、生成した駆動電圧を出力する駆動手段と、前記駆動手段から出力された駆動電圧に基づいて画像を表示する表示パネルと、前記表示パネルの種類に応じたレジスタ設定値が設定される一群のレジスタを有し、これらのレジスタに設定されたレジスタ設定値群に基づき、前記表示パネルの種類に応じて、装置全体の制御を行う制御手段と、前記一群のレジスタに設定するレジスタ設定値群を含む前記制御手段の制御に必要なデータと前記制御手段の制御に必要なプログラムとを含むファームウェアを記憶する記憶手段と、前記駆動手段を含む装置各部に電源を供給する電源供給手段とを備えたテレビジョン受像機において、前記電源供給手段から前記駆動手段に供給されるパネル駆動用電源電圧の値を検出する電源電圧検出手段をさらに備え、前記記憶手段は、複数種類の表示パネルの各々の、前記パネル駆動用電源電圧の値と前記レジスタ設定値群とを格納したレコードから構成されるレジスタ設定値テーブルをさらに記憶し、前記制御手段は、装置の初回起動時に、前記電源電圧検出手段により検出したパネル駆動用電源電圧の値に対応する前記レジスタ設定値群を、前記レジスタ設定値テーブルから読み込んで、このレジスタ設定値群を前記一群のレジスタに設定してから、装置全体を起動又は再起動するものである。ここで、各請求項における「表示パネルの種類」には、テレビジョン受像機のシリーズ（モデル）、表示パネルのインチ数、及び表示パネルの液晶セルの種類が含まれる。従って、２台のテレビジョン受像機のシリーズ（モデル）が同じであっても、これらのテレビジョン受像機の表示パネルのインチ数又は液晶セルの種類が異なる場合には、これらのテレビジョン受像機の表示パネルの種類は、異なる。
【０００７】
請求項２の発明は、請求項１に記載のテレビジョン受像機において、前記表示パネルに表示された画像の色温度又は輝度を測定する測定手段と接続され、前記レジスタ設定値テーブルの各レコードは、前記複数種類の表示パネルの各々に対応した画像の色温度又は輝度を含み、前記制御手段は、装置の初回起動時に、前記電源電圧検出手段により検出したパネル駆動用電源電圧の値に対応する前記レジスタ設定値群を、前記レジスタ設定値テーブルから読み込んだときに、前記レジスタ設定値テーブルに格納されたレコードの中に、前記電源電圧検出手段により検出したパネル駆動用電源電圧の値に対応する前記レジスタ設定値群を有するレコードが２つ以上ある場合は、前記測定手段により測定された色温度又は輝度に対応する前記レジスタ設定値群を、前記レジスタ設定値テーブルから読み込んで、このレジスタ設定値群を前記一群のレジスタに設定してから、装置全体を再起動するものである。
【０００８】
請求項３の発明は、請求項１又は請求項２に記載のテレビジョン受像機において、前記表示パネルは、液晶表示パネルであるものである。
【発明の効果】
【０００９】
請求項１の発明によれば、複数種類の表示パネルの各々のパネル駆動用電源電圧の値とレジスタ設定値群とを格納したレコードから構成されるレジスタ設定値テーブルを記憶しておいて、装置の初回起動時に、検出したパネル駆動用電源電圧の値に対応するレジスタ設定値群を、レジスタ設定値テーブルから読み込んで、このレジスタ設定値群を制御手段内の一群のレジスタに設定するようにした。これにより、表示パネルの種類毎に、異なるレジスタ設定値群を含むファームウェアを記憶しておく必要がなくなるので、同じシリーズのテレビジョン受像機において表示パネルのインチ数や液晶セルの種類にバリエーションがある場合でも、レジスタ設定値群を含むファームウェア全体をシリーズ毎に共通化することが容易になる。また、上記のように、ファームウェア全体をシリーズ毎に共通化することが容易になるので、ファームウェアを記憶する（メモリ等の）記憶手段と（メインデバイス等の）制御手段とを、同じプリント配線板上に搭載してディジタルプリント回路板（ディジタルＰＣＢ(printed circuit board)）を構成する場合には、ディジタルプリント回路板をシリーズ毎に共通化することが容易になる。
【００１０】
請求項２の発明によれば、例えば、シリーズと表示パネルのインチ数とが同じで、パネル駆動用電源電圧の値も同じである２つ以上のテレビジョン受像機において、これらのテレビジョン受像機における液晶セルの種類が異なる場合でも、実際に表示パネルに表示された画像の色温度又は輝度を測定して、測定した色温度又は輝度に対応するレジスタ設定値群を、制御手段内の一群のレジスタに設定することができる。ここで、一般的に、液晶セルの種類が異なる場合には、表示パネルに表示される画像の色温度や輝度が異なるので、上記のように、実際に表示パネルに表示された画像の色温度又は輝度に対応するレジスタ設定値群を上記のレジスタに設定することにより、制御手段が、表示パネルの液晶セルの種類に応じて、装置全体の制御を行うことができる。
【００１１】
請求項３の発明によれば、液晶表示パネルを備えたテレビジョン受像機において、上記請求項１又は請求項２に記載の効果を得ることができる。
【図面の簡単な説明】
【００１２】
【図１】本実施形態に係るテレビジョン受像機の主要部と、色温度又は輝度の測定システムとの電気的ブロック構成図。
【図２】同テレビジョン受像機が記憶するレジスタ設定値テーブルに格納されているデータの例を示す図。
【図３】同テレビジョン受像機の初回起動時に行われるレジスタ設定処理のフローチャート。
【発明を実施するための形態】
【００１３】
以下、本発明の一実施形態について、図面を参照して説明する。以下の実施形態では、本発明を液晶テレビジョン受像機に適用した場合の例について説明する。なお、以下に記載した実施形態は、本発明を網羅するものではなく、本発明は、下記の形態だけに限定されない。
【００１４】
図１は、本実施形態によるテレビジョン受像機である液晶テレビジョン受像機（以下、液晶テレビと略す）の主要部の電気的ブロック構成を示す。液晶テレビ１は、放送局から配信されるテレビジョン放送信号（以下、テレビ放送信号と略す）を受信して、テレビ放送信号に基く画像を表示すると共に、テレビ放送信号に基く音声を出力する装置である。
【００１５】
液晶テレビ１は、各種のディジタル回路が実装されたディジタルプリント回路板２（以下、ディジタルＰＣＢ(printed circuit board)という）と、各種のアナログ回路が実装されたアナログプリント回路板３（以下、アナログＰＣＢ(printed circuit board)という）と、液晶表示装置４と、この液晶表示装置４に含まれる液晶表示パネル４２（表示パネル）の光源となるバックライト５と、スピーカ６と、ユーザが装置本体に指示操作を行うためのリモコン７とを備えている。
【００１６】
ディジタルＰＣＢ２には、マイコン機能を有するメインデバイス２１（制御手段）と、ＳＰＩ（Serial Peripheral Interface）フラッシュメモリ（記憶手段）２２と、ディジタルチューナであるチューナ２３と、映像信号処理回路２４と、音声信号処理回路２５と、リモコン受信機２６が、実装されている。
【００１７】
上記のメインデバイス２１は、液晶表示パネル４２の種類に応じたレジスタ設定値が設定される一群のレジスタを有し、これらのレジスタに設定されたレジスタ設定値群に基づき、液晶表示パネル４２の種類に応じて、液晶テレビ１全体の制御を行う。メインデバイス２１は、ＡＤ(Analog to Digital)コンバータ２１ａと、このＡＤコンバータ２１ａへの電圧入力用のポートであるＡＤＣポート２１ｂとを備えている。
【００１８】
ＳＰＩフラッシュメモリ２２は、シリアルデータ転送を行うタイプのフラッシュメモリであり、ファームウェアを記憶している。このファームウェアには、メインデバイス２１内の一群のレジスタに設定するレジスタ設定値群を含む、メインデバイス２１の制御に必要なデータと、メインデバイス２１の制御に必要なプログラムとが含まれる。より詳細に言うと、フラッシュメモリ２２は、主に、メインデバイス２１の制御に必要なプログラムであるファームウェアアプリケーション（Ｆ／Ｗアプリケーション）２２ａと、同じシリーズに属する複数種類の（インチ数又は液晶セルの種類が異なる）表示パネルの各々の、パネル駆動用電源電圧の値とレジスタ設定値群とを格納したレコードから構成されるレジスタ設定値テーブル２２ｂと、メインデバイス２１の起動に必要なデータであるメインデバイス起動用データ２２ｃとを格納している。上記のレジスタ設定値テーブル２２ｂは、同じシリーズに属する複数種類の（インチ数又は液晶セルの種類が異なる）表示パネルの各々の、パネル駆動用電源電圧の値とレジスタ設定値群とを格納したレコードから構成される。
【００１９】
一般的に、同じシリーズに属する液晶テレビ１であっても、液晶表示パネル４２のインチ数が異なると、パネル駆動用電源電圧の値が異なる。このため、図２に示されるレジスタ設定値テーブル２２ｂ内のパネル駆動用電源電圧値５１は、液晶表示パネル４２のインチ数毎に異なる。また、図２に示されるように、パネル駆動用電源電圧値５１が同じ（液晶表示パネル４２のインチ数が同じ）であっても、主に液晶表示パネル４２の表示に関連するパラメタから構成されるレジスタ設定値群５６の内容が異なることがある。これは、同じインチ数（同じパネル駆動用電源電圧値）であっても、液晶表示パネル４２の液晶セルの種類が異なると、レジスタ設定値群５６の内容を変更する必要があるからである。このため、レジスタ設定値テーブル２２ｂ内には、同じパネル駆動用電源電圧値のレコードが複数存在し得る。なお、図２に示されるレジスタ設定値テーブル２２ｂの例では、パネル駆動用電源電圧値５１が９Ｖのレコードが１つしかない場合でも、測定値（色温度）５２のデータとして標準的な値（６２００Ｋ）を格納しているが、あるパネル駆動用電源電圧値５１に対応するレコードが１つしかない場合には、必ずしも測定値（色温度）５２に具体的な値を格納しておく必要はない（初期値を格納した状態でもよい）。
【００２０】
チューナ２３は、不図示のアンテナにより受信したディジタルテレビジョン放送信号から、ユーザによるリモコン７を用いた指示操作等で選択されたチャンネルの映像信号と音声信号とを抽出して、抽出した映像信号を映像信号処理回路２４に出力すると共に、抽出した音声信号を音声信号処理回路２５に出力する。映像信号処理回路２４は、入力された映像信号に基づき、ＲＧＢの各階調に対応する映像信号を生成し、この映像信号に各種の信号処理を施して液晶表示装置４の駆動回路４１（駆動手段）に出力する。また、音声信号処理回路２５は、チューナ２３から受信した音声信号に対して、メインデバイス２１からの指示に基づく増幅を行ってスピーカ６に送る。スピーカ６は、音声信号処理回路２５から受け取った増幅後の音声信号を音声に変換して出力する。
【００２１】
リモコン受信機２６は、液晶テレビ１に付属のリモコン７から送信される信号に加えて、後述する測定システム１０の工場出荷時において画像の色温度や輝度の測定に使用されるコンピュータ８に接続されたリモコン送信機８ａから送信される信号を受信して、受信したコマンド等のデータをメインデバイス２１に送る。
【００２２】
アナログＰＣＢ３には、液晶表示装置４の駆動回路４１を含む装置各部に電源を供給する電源ブロック３２（電源供給手段）と、インバータ回路３１とが、実装されている。電源ブロック３２は、外部の商用電源から交流の電源電圧の供給を受けて、供給された交流の電源電圧から、各種の電圧（主に直流電圧）を生成して、装置各部に供給する。電源ブロック３２から液晶表示パネル４２の駆動回路４１に供給されるパネル駆動用電源電圧は、図中の電圧検出ラインＤＬ１を介して、メインデバイス２１のＡＤＣポート２１ｂに接続されており、メインデバイス２１は、ＡＤＣポート２１ｂを介してＡＤコンバータ２１ａに入力された電圧に基づいて、電源ブロック３２から電源ラインＰＬ２を介して駆動回路４１に供給されるパネル駆動用電源電圧の値を検出する。メインデバイス２１と電圧検出ラインＤＬ１とが、請求項における電源電圧検出手段に相当する。インバータ回路３１は、電源ブロック３２から供給された直流電圧を高周波の交流電圧に変換して、バックライト５に供給し、バックライト５を点灯させる。
【００２３】
液晶表示装置４は、上記の駆動回路４１と液晶表示パネル４２とを有している。駆動回路４１は、映像信号処理回路２４から受信した映像信号に基づいて、液晶表示パネル４２を駆動するための駆動電圧を生成して、生成した駆動電圧を液晶表示パネル４２に印加する。液晶表示パネル４２は、駆動回路４１から出力された駆動電圧に基づいて画像を表示する。より詳細に言うと、液晶表示パネル４２は、駆動回路４１から出力された駆動電圧を各画素に印加させることで、バックライト５から照射される光の透過量を画素毎に変化させて画像を形成する。
【００２４】
次に、図１に示される装置のうち、後述する色温度又は輝度の測定処理に用いられる測定システム１０に含まれる装置にについて説明する。この測定システム１０は、コンピュータ８とカラーアナライザ９（測定手段）とから構成されている。カラーアナライザ９には、液晶表示パネル４２に表示された画像を撮像するためのカメラ９ａが接続されている。また、コンピュータ８は、コンピュータからの指示に基づいて、各種のコマンドやデータを液晶テレビ１側のリモコン受信機２６に送信するためのリモコン送信機８ａを有している。リモコン送信機８ａから液晶テレビ１側に送信されるデータには、色温度測定用の白ベタ画像、輝度測定用の黒ベタ画像、及びカラーアナライザ９による測定結果（色温度又は輝度）のデータが含まれている。
【００２５】
液晶表示パネル４２に表示された画像の色温度の測定時には、コンピュータ８が、リモコン送信機８ａを介して液晶テレビ１側に色温度測定用の白ベタ画像を送信し、液晶テレビ１が、リモコン受信機２６により白ベタ画像を受信して、この白ベタ画像を液晶表示パネル４２に表示する。そして、カラーアナライザ９が、カメラ９ａで撮像した液晶表示パネル４２上の白ベタ画像の色温度を測定（判定）して、測定した色温度のデータをコンピュータ８に送る。コンピュータ８は、受信した色温度のデータをリモコン送信機８ａを介して液晶テレビ１側に送信する。
【００２６】
また、液晶表示パネル４２に表示された画像の輝度の測定時には、コンピュータ８が、リモコン送信機８ａを介して液晶テレビ１側に輝度測定用の黒ベタ画像を送信し、液晶テレビ１が、リモコン受信機２６により黒ベタ画像を受信して、この黒ベタ画像を液晶表示パネル４２に表示する。そして、カラーアナライザ９が、カメラ９ａで撮像した液晶表示パネル４２上の黒ベタ画像の輝度を測定（判定）して、測定した輝度のデータをコンピュータ８に送る。コンピュータ８は、受信した輝度のデータをリモコン送信機８ａを介して液晶テレビ１側に送信する。
【００２７】
次に、図３を参照して、液晶テレビ１の（工場出荷時における）初回起動時の処理について説明する。この液晶テレビ１の初回起動時の処理は、図１中の測定システム１０におけるコンピュータ８が、リモコン送信機８ａを介して、常時、色温度測定用の白ベタ画像（又は輝度測定用の黒ベタ画像）と、カラーアナライザ９により測定した色温度（又は輝度）のデータとを液晶テレビ１側に送信している状態において行われる。
【００２８】
初回起動時において、液晶テレビ１の電源スイッチがオンにされると、電源ブロック３２は、電源ラインＰＬ１を介して、メインデバイス２１とＳＰＩフラッシュメモリ２２への電源供給を開始した後（Ｓ１）、各種周辺装置への電源供給を開始する（Ｓ２）。メインデバイス２１は、電源が供給されると、ファームウェア（Ｆ／Ｗ）アプリケーション２２ａと、メインデバイス２１自体の（いわゆるスタンバイモードでの）立ち上げに必要な（いわゆるスタンバイモードでの立ち上げに必要な）データ（メインデバイス起動用データ２２ｃ）のみを、ＳＰＩフラッシュメモリ２２から読み込む（Ｓ３）。そして、メインデバイス２１は、メインデバイス２１自体の立ち上げが完了すると、メインデバイス起動用データ２２ｃ内に含まれる初回起動フラグに基づいて、今回が液晶テレビ１の初回起動時であると判定して、ＡＤＣポート２１ｂを介してＡＤコンバータ２１ａに入力される電圧に基づいて、電源ブロック３２から電源ラインＰＬ２を介して駆動回路４１に供給されるパネル駆動用電源電圧の値を検出する（Ｓ４）。
【００２９】
次に、メインデバイス２１は、ＳＰＩフラッシュメモリ２２内のレジスタ設定値テーブル２２ｂから、上記Ｓ４で検出したパネル駆動用電源電圧の値に対応するレコードを検索する。具体的には、メインデバイス２１は、図２に示されるレジスタ設定値テーブル２２ｂに格納されたレコードの中から、パネル駆動用電源電圧値５１が上記の検出したパネル駆動用電源電圧の値の上下数％（例えば上下５％）以内に収まっているレコードを抽出する。そして、抽出した（検出した）パネル駆動用電源電圧の値に対応する（レジスタ設定値群を有する）レコードが２つ以上抽出されたあるか否か（すなわち、検出したパネル駆動用電源電圧の値に対応するレジスタ設定値の組が２つ以上あるか否か）を判定する（Ｓ５）。
【００３０】
上記の判定の結果、検出したパネル駆動用電源電圧の値に対応する（レジスタ設定値群を有する）レコードが１つしか抽出されない場合（すなわち、検出したパネル駆動用電源電圧の値に対応するレジスタ設定値の組が１つしかない場合）には（Ｓ５でＮＯ）、メインデバイス２１は、このパネル駆動用電源電圧の値に対応するレコードに格納されたレジスタ設定値群５６をレジスタ設定値テーブル２２ｂから読み込んで、このレジスタ設定値群５６をメインデバイス２１内の一群のレジスタ（液晶表示パネル４２の表示に関連するパラメタの設定用のレジスタや、液晶テレビ１の入出力端子数等の設定用のレジスタ等の各種設定用レジスタ）にセットしてから（Ｓ６）、液晶テレビ１の装置全体を起動する（Ｓ９）。図２に示される例では、レジスタ設定値群５６には、輝度５３及び（液晶テレビ１の）入出力端子数５４等が含まれる。
【００３１】
上記Ｓ５の判定において、検出したパネル駆動用電源電圧の値に対応する（レジスタ設定値群を有する）レコードが２つ以上抽出されたある場合（すなわち、検出したパネル駆動用電源電圧の値に対応するレジスタ設定値の組が２つ以上ある場合）には（Ｓ５でＹＥＳ）、メインデバイス２１は、液晶表示装置４を含む装置全体を起動して、コンピュータ８から入力された色温度測定用の白ベタ画像（又は輝度測定用の黒ベタ画像）を液晶表示パネル４２に表示させて、カラーアナライザ９により測定した色温度（又は輝度）のデータを、リモコン送信機８ａとリモコン受信機２６とを介して、コンピュータ８から受信する。そして、受信した色温度又は輝度に対応するレジスタ設定値群５６を、レジスタ設定値テーブル２２ｂから読み込んで、このレジスタ設定値群５６をメインデバイス２１内の一群のレジスタにセットしてから（Ｓ８）、液晶テレビ１の装置全体を再起動する（Ｓ９）。具体的には、図２に示される例では、カラーアナライザ９により取得される測定値が色温度であるため、メインデバイス２１は、図２に示されるレジスタ設定値テーブル２２ｂに格納されたレコードの中から、色温度５２が上記のカラーアナライザ９により測定した色温度に最も近いレコードを抽出して、抽出したレコードに含まれるレジスタ設定値群５６をメインデバイス２１内の一群のレジスタにセットしてから、液晶テレビ１の装置全体を再起動する。
【００３２】
上記のように、本実施形態の液晶テレビ１によれば、複数種類の液晶表示パネル４２の各々のパネル駆動用電源電圧値５１とレジスタ設定値群５６とを格納したレコードから構成されるレジスタ設定値テーブル２２ｂを記憶しておいて、装置の初回起動時に、検出したパネル駆動用電源電圧の値に対応する（すなわち、各インチの液晶表示パネル４２に対応する）レジスタ設定値群５６を、レジスタ設定値テーブル２２ｂから読み込んで、このレジスタ設定値群５６をメインデバイス２１内の一群のレジスタに設定するようにした。これにより、液晶表示パネル４２の種類毎に、異なるレジスタ設定値群を含むファームウェアを記憶しておく必要がなくなるので、同じシリーズの液晶テレビ１において液晶表示パネル４２のインチ数にバリエーションがある場合でも、レジスタ設定値群を含むファームウェア全体（図１中のＦ／Ｗアプリケーション２２ａ、レジスタ設定値テーブル２２ｂ、及びメインデバイス起動用データ２２ｃに相当）をシリーズ毎に共通化することが容易になる。また、上記のように、ファームウェア全体をシリーズ毎に共通化することが容易になるので、ファームウェアを記憶するＳＰＩフラッシュメモリ２２とメインデバイス２１とを実装したディジタルＰＣＢ２を、液晶テレビ１のシリーズ毎に共通化することが容易になる。
【００３３】
また、例えば、シリーズと液晶表示パネル４２のインチ数とが同じで、パネル駆動用電源電圧の値も同じである２つ以上の液晶テレビ１において、これらの液晶テレビ１における液晶セルの種類が異なる場合でも、実際に液晶表示パネル４２に表示された画像の色温度又は輝度を測定して、測定した色温度又は輝度に対応するレジスタ設定値群を、メインデバイス２１内の一群のレジスタに設定することができる。ここで、一般的に、液晶セルの種類が異なる場合には、液晶表示パネル４２に表示される画像の色温度や輝度が異なるので、上記のように、実際に液晶表示パネル４２に表示された画像の色温度又は輝度に対応するレジスタ設定値群を上記のレジスタに設定することにより、メインデバイス２１が、液晶表示パネル４２の液晶セルの種類に応じて、液晶テレビ１の装置全体の制御を行うことができる。なお、シリーズと液晶表示パネル４２のインチ数とが同じであっても、液晶表示パネル４２の液晶セルの種類が異なれば、パネル駆動用電源電圧の値も異なる可能性はある。この場合には、インチ数が同じで液晶セルの種類が異なる２種類以上の液晶表示パネル４２がある場合であっても、上記の色温度又は輝度の測定結果に基づいてメインデバイス２１内の一群のレジスタに設定するレジスタ設定値群を決定する必要はなく、上記のように、検出したパネル駆動用電源電圧の値のみに基づいて、メインデバイス２１内の一群のレジスタに設定するレジスタ設定値群を決定してもよい。
【００３４】
なお、本発明は、上記の各実施形態の構成に限られず、発明の趣旨を変更しない範囲で種々の変形が可能である。例えば、シリーズと液晶表示パネル４２のインチ数とが同じで（、パネル駆動用電源電圧の値もが同じで）あ、液晶セルの種類が異なる２種類以上の液晶表示パネルが存在する場合に、る２つ以上の液晶テレビ１において、これらの液晶テレビ１における液晶セルの種類が異なる場合に、上記各実施形態のように色温度又は輝度の測定結果ではなく、他の測定結果に基づいてメインデバイス２１内の一群のレジスタに設定するレジスタ設定値群を決定してもよい。また、液晶セルの種類に応じて、液晶表示装置から異なる種類の信号をメインデバイスに送信するようにして、メインデバイス２１が、パネル駆動用電源電圧の値と液晶表示装置から送信された信号の種類に基づいてメインデバイス内の一群のレジスタに設定するレジスタ設定値群を決定するようにしてもよい。さらにまた、本発明が適用されるテレビジョン受像機は、液晶テレビに限られず、プラズマテレビジョン受像機（プラズマテレビ）であってもよい。
【符号の説明】
【００３５】
１    液晶テレビ（テレビジョン受像機）
５    バックライト
９    カラーアナライザ（測定手段）
２１  メインデバイス（制御手段、電源電圧検出手段）
２２  ＳＰＩフラッシュメモリ（記憶手段）
２２ａ  Ｆ／Ｗアプリケーション（制御手段の制御に必要なプログラム）
２２ｂ  レジスタ設定値テーブル（［制御手段の制御に必要なデータ］の一部）
２２ｃ  メインデバイス起動用データ（［制御手段の制御に必要なデータ］の一部）
２３  チューナ
３２  電源ブロック（電源供給手段）
４１  駆動回路（駆動手段）
ＤＬ１  電圧検出ライン（電源電圧検出手段）
【図１】
2012003155.tif 000003
【図２】
2012003155.tif 000004
【図３】
2012003155.tif 000005